(57)【要約】【課題】  広視野角を維持しながら、コントラスト比の高い液晶表示装置を提供する。【解決手段】  ＴＦＴ基板２１とこの対向基板２２の間に液晶２３を挟持してなる液晶パネルを有する液晶表示装置において、１画素内の画素電極１７及び共通電極１６からなる繰り返し周期方向（紙面左右方向）とバックライト３４の輝度の半減角度が狭い方向とが一致するように、前記液晶パネルの背面にバックライト３４が配置されている。【選択図】  図２
2006091120.tif 000002
【特許請求の範囲】
【請求項１】
画素内に形成されている画素電極及び共通電極の少なくとも一方の電極が繰り返し構造である領域を有する液晶パネルと、該液晶パネルの背面に配置されたバックライトとを備えた液晶表示装置において、
前記バックライトは、前記液晶パネルへの入射光の方向により入射角度範囲が異なっており、
前記バックライトの前記液晶パネルへの入射光の入射角度範囲が相対的に狭い方向と前記電極の繰り返し周期方向とが一致していることを特徴とする液晶表示装置。
【請求項２】
請求項１に記載の液晶表示装置において、前記バックライトの前記液晶パネルへの入射光の入射角度範囲の広い方向と狭い方向との入射角度範囲の比が１：３以上の比であることを特徴とする液晶表示装置。
【請求項３】
画素内に形成されている画素電極及び共通電極の少なくとも一方の電極が繰り返し構造である領域を有する液晶パネルと、該液晶パネルの背面に配置されたバックライトとを備えた液晶表示装置において、
前記液晶パネルと前記バックライトの間に、面内に光透過領域と光遮断領域とが交互に繰り返し構造を有する光吸収異方性部材が配置されており、前記電極の繰り返し周期方向と前記光吸収異方性部材の繰り返し構造の周期方向とが一致していることを特徴とする液晶表示装置。
【請求項４】
画素内に形成されている画素電極及び共通電極の少なくとも一方の電極が繰り返し構造である領域を有する液晶パネルと、該液晶パネルの背面に配置されたバックライトとを備えた液晶表示装置において、
前記液晶パネルと前記バックライトの間に異方性拡散板が配置されており、前記電極の繰り返し周期方向と前記異方性拡散板の拡散性の小さい方向とが一致していることを特徴とする液晶表示装置。
【請求項５】
画素内に形成されている画素電極及び共通電極の少なくとも一方の電極が繰り返し構造である領域を有する液晶パネルと、該液晶パネルの背面に配置されたバックライトとを備えた液晶表示装置において、
前記液晶パネルと前記バックライトとの間に異方性レンズシートが配置されており、該異方性レンズシートにより前記液晶パネルへの入射光の入射角度範囲が相対的に狭くなる方向と前記電極の繰り返し周期方向とが一致していることを特徴とする液晶表示装置。
【請求項６】
請求項１から５のいずれかに記載の液晶表示装置において、表示の上下方向が前記液晶パネルへの入射光の入射角度範囲が相対的に狭い方向であることを特徴とする液晶表示装置。
【請求項７】
請求項１から６のいずれかに記載の液晶表示装置を有する端末機器。
【発明の詳細な説明】
【技術分野】
【０００１】
本発明は、液晶表示装置に関し、特に、広視野角を維持しながらコントラスト比が向上した液晶表示装置に関する。
【背景技術】
【０００２】
液晶表示装置は、薄型、軽量、低消費電力などの特徴から家庭用から医療用まで、さまざまな分野で使用されており、その適用範囲がますます広がりを見せている。一般に、液晶表示装置は、バックライト上に偏光板、液晶、偏光板の順で配置され、液晶に電圧を印加することで出射側の偏光板を通過する光の量を制御し、画像等の表示を行なっている。
【０００３】
これまでの技術開発の結果、液晶表示装置の広視野角化が進み、医療用モニターや薄型テレビなどではインプレインスイッチング方式（IPS方式）の液晶表示装置、もしくは、バーティカルアライメント方式（VA方式）の液晶表示装置が用いられるようになった。しかし、視野角特性の素直さからインプレインスイッチング方式の液晶表示装置が好まれている。
【０００４】
現在、医療用液晶モニターや薄型液晶テレビなどでは、更なる高画質表示の要求が高まっている。その要求項目としてコントラスト比（黒を表示するときの輝度（黒輝度）と白を表示するときの輝度（白輝度）との比）の向上が挙げられる。白輝度が高く黒輝度が低いほどコントラスト比が高くなる。つまり、コントラスト比が高いほど、白と黒の違いが明確になって表示が良好になる。特に、医療用モノクロ液晶モニターでは１０００以上のコントラスト比が強く求められている。
【０００５】
このような中でコントラスト比を向上させる技術として、例えば、特許文献１に記載されている液晶表示装置が挙げられる。
【０００６】
特許文献１の記載の液晶表示装置ではバックライトから液晶パネルに入射する光のうち、各画素へのガラス基板の法線に対する入射角度が所定の角度以内に抑えられた光のみを入射している。つまり、液晶パネルに入射する光の角度を制限して、斜め方向から入射する光を低減し、液晶パネル内で発生する散乱を防止することで、黒輝度を低下させてコントラスト比を向上させている。
【特許文献１】特開平１１−３３７９２２号公報
【発明の開示】
【発明が解決しようとする課題】
【０００７】
しかしながら、特許文献１に開示された液晶表示装置では面内の全方向において入射光の入射角度を制限するため、コントラスト比は向上するものの視野角が犠牲になってしまう。特に、インプレインスイッチング方式をはじめとする広視野角の液晶表示装置を特徴とした液晶パネルでは視野角の犠牲は大きな問題である。
【０００８】
本発明の目的は、上記問題を解消し、広視野角を維持しながら、コントラスト比の高い液晶表示装置を提供することである。
【課題を解決するための手段】
【０００９】
上記目的を達成するために、第１の発明は、画素内に形成されている画素電極及び共通電極の少なくとも一方の電極が繰り返し構造である領域を有する液晶パネルと、該液晶パネルの背面に配置されたバックライトとを備えた液晶表示装置において、バックライトは、液晶パネルへの入射光の方向により入射角度範囲が異なっており、バックライトの液晶パネルへの入射光の入射角度範囲が相対的に狭い方向と電極の繰り返し周期方向とが一致していることを特徴としている。
【００１０】
本発明者らは、広視野角化を実現するために１画素内の画素電極、および、共通電極の少なくとも一方が１つのパターン単位を連結した繰り返し構造を有する液晶表示装置のコントラスト比が何故向上しないのかを詳細に追及した。
【００１１】
上記のような構造の液晶表示装置としてはインプレインスイッチング方式やフリンジ・フィールドスイッチング方式やパターンド・バーティカルアライメント方式の液晶表示装置が挙げられる。
【００１２】
本発明者らは鋭意検討した結果、このような液晶表示装置では、電極の繰り返し構造による散乱が液晶パネル面内で周期的に発生するため、コントラスト比が劣化することがわかった。つまり、周期的に発生した散乱光が干渉によって強まり、繰り返し部位からの散乱が画素内で一番大きくなってしまうことからコントラスト比が劣化する。
【００１３】
さらに、液晶パネルへの入射光の方向によって入射角度範囲が異なるバックライトを用いてコントラスト比を評価した結果、１画素内の電極による繰り返し構造の周期方向と一致する方向の入射光角度を制限すれば、コントラスト比は向上すること、また、電極の繰り返し構造の周期方向と直交する方向の入射光角度を制限してもコントラスト比は変わらないことがわかった。したがって、電極の繰り返し構造の方向以外の方向は入射光角度を制限する必要がないことがわかった。
【００１４】
そこで、本発明では、広視野角を維持しながら高コントラスト比を達成するために、入射光の方向によって入射角度範囲が異なるバックライトを液晶パネルの下に配置し、バックライトにおける液晶パネルへの入射光の入射角度範囲が相対的に狭い方向と、画素内に形成されている電極の繰り返し周期方向とを一致させる。
【００１５】
これにより、従来の液晶表示装置では面内の全方向の入射光角度を制限していたために、視野角を犠牲にしていたが、本発明のような構成とすることで視野角の犠牲を最小限に抑え、コントラスト比を向上させるが可能となった。
【００１６】
第２の発明は、第１の発明における液晶表示装置において、前記バックライトの前記液晶パネルへの入射光の入射角度範囲の広い方向と狭い方向との入射角度範囲の比が１：３以上の比であることを特徴としている。
【００１７】
このような比率とすることで広視野角を維持しながら、従来の液晶表示装置に比べて１．７倍以上のコントラスト比が向上し、コントラスト比１０００以上を達成することができる。
【００１８】
たとえば、左右方向の輝度の半減角度が±２０°であり、上下方向の輝度の半減角度が±６０°であるバックライト（図３）を液晶パネルの下に配置し、コントラスト比を評価した。その結果、液晶パネルの１画素内の電極の繰り返し構造の周期方向と輝度の半減角度が±２０°である入射方向とを一致させると、液晶表示装置の黒輝度が従来の２／３以下に低減し、コントラスト比が１．７倍以上向上する。従来のインプレインスイッチング方式の液晶表示装置のコントラスト比は概ね６００であることからこの効果によりコントラスト比１０００以上を達成することができる。
【００１９】
さらに、輝度の半減角度が±２０°である入射方向と１画素内の電極の繰り返し構造の周期方向とを一致させることから、この方向の視野角は多少犠牲になるだけでその他の方向は従来の液晶表示装置と同様の広視野角を維持することが可能になる。
【００２０】
第３の発明は、画素内に形成されている画素電極及び共通電極の少なくとも一方の電極が繰り返し構造である領域を有する液晶パネルと、該液晶パネルの背面に配置されたバックライトとを備えた液晶表示装置において、液晶パネルとバックライトの間に、面内に光透過領域と光遮断領域とが交互に繰り返し構造を有する光吸収異方性部材が配置されており、電極の繰り返し周期方向と光吸収異方性部材の繰り返し構造の周期方向とが一致していることを特徴とする。
【００２１】
この発明では、面内に光透過領域と光遮断領域とが交互に繰り返し構造を有する光吸収異方性部材により、光透過領域と光遮断領域の繰り返し周期方向と一致する方向の入射光角度のみを制限することができる。したがって、第１の発明及び第２の発明における広視野角を維持しながらコントラスト比を向上させる効果に加え、従来から使用していたバックライトをそのまま流用できる効果が生まれる。
【００２２】
第４の発明は、画素内に形成されている画素電極及び共通電極の少なくとも一方の電極が繰り返し構造である領域を有する液晶パネルと、液晶パネルの背面に配置されたバックライトとを備えた液晶表示装置において、液晶パネルとバックライトの間に異方性拡散板が配置されており、電極の繰り返し周期方向と異方性拡散板の拡散性の小さい方向とが一致していることを特徴とする。
【００２３】
第４の発明で使用する異方性拡散板は入射方向により、入射光の拡散能が異なっている。したがって、入射方向により、液晶パネルへの入射角度範囲を制御することができる。その結果、第３の発明と同様に従来から使用していたバックライトをそのまま流用できる効果が生まれる。
【００２４】
第５の発明は、画素内に形成されている画素電極及び共通電極の少なくとも一方の電極が繰り返し構造である領域を有する液晶パネルと、該液晶パネルの背面に配置されたバックライトとを備えた液晶表示装置において、液晶パネルとバックライトとの間に異方性レンズシートが配置されており、該異方性レンズシートにより液晶パネルへの入射光の入射角度範囲が相対的に狭くなる方向と電極の繰り返し周期方向とが一致していることを特徴とする。
【００２５】
第５の発明で使用する異方性レンズシートは第３の発明と同様にバックライトからの入射光の入射角度範囲を入射方向により制御することができる。したがって、第３の発明及び第４の発明と同様に、従来から使用していたバックライトをそのまま流用できる効果が生まれる。
【００２６】
第６の発明は、第１から第５のいずれかの発明における液晶表示装置において、表示の上下方向が液晶パネルへの入射光の入射角度範囲が相対的に狭い方向であることを特徴とする。
【００２７】
このような構成とすることで上下方向の視野角は制限されたとしても、左右方向の視野角は従来どおりの特性を示す。したがって、従来の液晶表示装置と比べて違和感のない表示が可能となると同時に、従来の液晶表示装置と比べてコントラスト比の向上した広視野角の液晶表示装置を提供することができる。
【００２８】
第７の発明は、第１から第６のいずれかの発明における液晶表示装置を有する端末機器である。この発明により、従来の端末機器とくらべ、広視野角、高コントラスト比の端末機器を提供することが可能になる。
【発明の効果】
【００２９】
以上説明したように、本発明によれば、バックライトの液晶パネルへの入射光の入射角度範囲が相対的に狭い方向を、画素内に形成されている電極構造による繰り返し周期方向と一致させることで、広視野角を維持しながら、コントラスト比の高い液晶表示装置を提供することができる。
【００３０】
また、液晶パネルとバックライトの間に光異方性部材を挿入し、バックライトの液晶パネルへの入射方向による入射角度範囲に異方性を形成し、かつ、電極構造による繰り返し周期方向と入射光の入射角度範囲が狭い方向とを一致させることで、従来から使用してきたバックライトを流用する効果が生まれる。
【発明を実施するための最良の形態】
【００３１】
以下、図面を参照し、本発明の実施形態に基づいて、本発明を更に詳細に説明する。
【００３２】
（第１の実施形態）
図１は本発明の第１の実施形態である液晶表示装置の１画素の領域を拡大した概略平面図、図２は図１に示す液晶表示装置のＡ−Ｂ線に沿った断面を示したものである。ただし、各構成要素サイズは説明を容易にするため、実際のサイズとは異なっている。
【００３３】
図１に示すように本実施形態における液晶表示装置の各画素は、信号線１１と、走査線１２及び共通電極線１３とによって区画された領域にあり、ドレイン電極線１４、画素電極線１５、共通電極１６、画素電極１７、及びＴＦＴトランジスタ１８を備えている。画素電極１７及び共通電極１６は櫛歯電極構造を形成しており、図１に示す紙面左右方向に繰り返し周期を有している。
【００３４】
各画素のＴＦＴトランジスタ１８は、ソースが画素電極線１５を介して画素電極１７に、ドレインがドレイン電極線１４を介して信号線１１と接続されている。そして、ＴＦＴトランジスタ１８は走査線１２に印加される電圧の有無によって、信号線１１から入力された信号を画素電極線１５に供給するか否かを制御している。なお、本実施の形態では説明をわかりやすくするため、ストレージ容量は図示していないが、液晶表示装置のレイアウトにより所定の位置に形成されるものとする。
【００３５】
本実施形態では共通電極１６及び画素電極１７は金属膜で形成されている。共通電極１６は、第１のコンタクトホール１９を介して、下層の共通電極線１３と接続されている。また、画素電極１７は第２のコンタクトホール２０を介して、下層の画素電極線１５と接続されている。
【００３６】
本実施形態における液晶表示装置は、図２に示すように、下層から順番に、バックライト３４、ＴＦＴ基板２１、液晶２３、対向基板２２が積層された構造となっている。特に、この液晶表示装置では、ＴＦＴ基板２１、液晶２３、対向基板２２の順に積層された部分が液晶パネル部となっている。また、バックライト３４は冷陰極管を用いている。
【００３７】
対向基板２２は、さらに、ガラス基板３０、ブラックマトリックス（ＢＭ）３３、保護膜３１、配向膜３２を備えている。図では本発明の効果をより簡単化するため、モノクロ液晶パネルを想定しているが、ガラス基板３０上にＲＧＢのカラーフィルタ層が形成されたカラー液晶パネルであっても構わない。
【００３８】
ＴＦＴ基板２１は、バックライト３４側から少なくともガラス基板２４、第１の無機絶縁膜（ゲート絶縁膜）２５、信号線１１、画素電極１７、第２の無機絶縁膜（保護膜）２６、共通電極１６、及び、配向膜２９を備えている。また、液晶表示装置の設計指針により第２の無機絶縁膜２６上に有機絶縁膜を追加しても構わない。
【００３９】
第１の無機絶縁膜２５は図１に示す走査線１２及び共通電極線１３を上部の層と絶縁するために用いる。第１の無機絶縁膜２５上には、信号線１１及び画素電極１７が形成され、第２の無機絶縁膜２６によって上部の層と絶縁される。信号線１１、走査線１２、及び、共通電極線１３は、所望の配線抵抗となるように、その配線の幅や厚み、配線材料が設定される。ＴＦＴトランジスタ１８は、第１の無機絶縁膜２５をゲート絶縁膜として、走査線１２の上部の所定の位置で形成される。第２の無機絶縁膜２６上には、共通電極１６が配置されている。ＴＦＴ基板２１と対向基板２２との間に挟まれた液晶２３は共通電極１６と画素電極１７との間で形成される横電界（図２に示す紙面左右方向）により駆動される。
【００４０】
バックライト３４はＴＦＴ基板２１の下部に配置されている。ガラス基板２４のバックライト３４と接する表面には、図示しない偏光板を備え、バックライト３４の偏光を制限している。
【００４１】
ガラス基板３０の外側表面には、図示していないが、偏光板が設置される。この偏光板の偏光方向は、ガラス基板２４が備える偏光板の偏光方向と直交している。このため、液晶２３に電界が印加されない時には、ガラス基板２４を通過したバックライト３４からの光は、ガラス基板３０を通過できず、液晶表示装置は黒を表示する。ガラス基板の内側表面には、光を遮断するブラックマスク（ＢＭ）３３が配設され、ＢＭ３３は、信号線１１、走査線１２、及び、共通電極線１３を遮蔽し、実質的に各画素を区画している。
【００４２】
図３は本実施形態で用いたバックライト３４の上下左右方向の配光特性を示したものである。この図において符号４１の実線は本実施形態で使用したバックライトの図１の紙面上下方向の輝度分布を表しており、符号４３の点線は本実施形態で使用したバックライトの図１の紙面左右方向の輝度分布を表している。図３によると、正面輝度に対して輝度が半減する角度（以下、輝度の半減角度という）がバックライトの図１の紙面上下方向では±６０°、バックライトの図１の紙面左右方向では±２０°であり、輝度の半減角度がバックライトの図１の紙面上下方向と紙面左右方向で３：１の比率になっている。
【００４３】
このように本実施形態では、１画素内の画素電極１７及び共通電極１６による繰り返し周期方向とバックライト３４の輝度の半減角度が小さい方向とが一致するように、液晶パネルの背面にバックライト３４が配置されている。換言すると、図１の紙面左右方向において電極１６，１７の繰り返し周期方向とバックライト３４から液晶パネルへの入射光の入射角度範囲が狭い方向とが一致している。
【００４４】
ここで、バックライト３４の輝度の半減角度が狭い方向または広い方向とは、バックライト３４から液晶パネルへの入射光の入射角度範囲が狭い方向または広い方向と同義である。
【００４５】
このように配置された本実施形態の液晶表示装置と配置されていない従来の液晶表示装置とにおける黒輝度とコントラスト比を図４及び図５に示す。図４及び図５によると、本実施形態における液晶表示装置の黒輝度は従来の２／３以下に低減し、コントラスト比が１．７倍以上向上したことが分かる。従来のインプレインスイッチング方式の液晶表示装置のコントラスト比は概ね６００であることから、本発明の液晶表示装置ではコントラスト比１０００以上を達成することができる。
【００４６】
さらに、バックライトの輝度の半減角度が±２０°となる方向と１画素内の電極の繰り返し周期方向とを一致させていることから、この方向の視野角は多少犠牲になるが、その他の方向では輝度の半減角度が従来の液晶表示装置と同様になるので広視野角を維持することができる。
【００４７】
なお、本実施形態では、画素電極１７及び共通電極１６を直線状の櫛歯電極構造とした場合について説明したが、櫛歯電極構造の櫛歯部分がV字形（「く」の字形）またはZ字形（ジグザク形）である場合でも、櫛歯部分の繰り返し方向と一致する方向の入射光角度を制限することで黒輝度の上昇を抑えることができ、コントラスト比が向上する。たとえば、図１０や図１１に示すようなZ字形の櫛歯が一定周期で繰り返し形成された電極構造である場合には、バックライトの液晶パネルへの入射光の入射角度範囲の狭い方向５５を図１０や図１１に示す矢印の方向に設定すればよい。
【００４８】
また、本実施形態では画素電極及び共通電極をともに金属膜で形成したが、ＩＴＯ（Indium tin oxide）膜のような透明電極で形成した場合でも同様の効果が得られる。
【００４９】
（第２の実施形態）
図６は本発明の第２の実施形態における液晶表示装置の断面図を示す。
【００５０】
本実施形態では、図６に示すようにバックライト３４とＴＦＴ基板２１との間に光吸収異方性部材３５を配置し、さらに画素内の電極の繰り返し周期方向と光吸収異方性部材における繰り返し構造の周期方向とを一致させる。なお、液晶パネルは第１の実施形態と同じものを使用した。
【００５１】
光吸収異方性部材３５は図７に示すように光透過領域５１と光遮断領域５２の繰り返し構造（紙面上では左右方向）を有しており、繰り返し方向のみの入射光の入射角度を制限できる。具体的には、視野角調整フィルムとして市販されているライトコントロールフィルム（住友３M  社製）がこれに該当し、本実施形態で使用することができる。
【００５２】
本実施形態のような構成とすることで広視野角を維持しながらコントラスト比を向上させる効果が生まれる。さらに、光吸収異方性部材によりバックライトからの入射光の入射角度を制限するので従来から使用していたバックライトをそのまま流用できる。
【００５３】
なお、本実施形態では光吸収異方性部材３５として、画素内の電極構造に合わせて光透過領域と光遮断領域が格子状のものを用いて説明したが、これに限るわけではなく、電極構造に合わせた光異方性部材であればどのような形状でも構わない。たとえば、櫛歯電極構造の櫛歯部分が「く」の字のような構造であれば、光異方性部材の光遮断領域の形も「く」の字としたものを用いることができる。
【００５４】
（第３の実施形態）
図８は本発明の第３の実施形態における液晶表示装置の断面を示したものである。
【００５５】
第２の実施形態と違いは、光吸収異方性部材の代わりに異方性拡散板３６を用い、拡散性の小さい方向と電極の繰り返し周期方向とを一致させた点にある。これにより、広視野角を維持しながらコントラスト比を向上させる効果が生まれる。また、バックライトの指向性を異方性拡散板により整形することから、これまで使用したバックライトをそのまま流用して利用できる。異方性拡散板３６として、具体的にはホログラフィックディフューザーを用いることができる。ホログラフィックディフューザーは非周期な凹凸パターンの集合体であり、光の拡散角度を任意に設定できる。したがって、現在使用しているバックライトの拡散角度に合わせて直交する拡散能を制御できる。
【００５６】
（第４の実施形態）
図９は本発明の第４の実施形態における液晶表示装置を示す断面図である。
【００５７】
本実施形態では、バックライトと液晶パネルとの間に異方性レンズシートを配置し、電極の繰り返し周期方向と液晶パネルへの入射光の入射角度範囲の狭い方向とをほぼ一致させることを特徴とする。
【００５８】
具体的にはプリズムをアレイ状に配列したプリズムシートや、平凸シリンドリカルレンズをアレイ状に配列したレンチキュラーレンズを用いることができる。プリズムや平凸シリンドリカルレンズはそれぞれ直交する方向で液晶パネルへの入射角度が異なることから、本実施形態のように配置することで第２の実施形態や第３の実施形態と同様に、従来から使用していたバックライトをそのまま流用できる効果が生まれる。
【００５９】
なお、バックライト上への異方性レンズシートの配置に関しては、プリズムや平凸シリンドリカルレンズにより液晶パネルへの入射角度が２つの直交する方向で異なっていれば、プリズム面やレンズ面を液晶パネル側に配置しようがバックライト側に配置しようが構わない。
【００６０】
さらに、本実施形態では直線状の電極の繰り返し構造に合わせて格子状の異方性レンズを用いて説明したが、これに限るわけではなく、電極構造に合わせた異方性レンズシートであればどのような形状でも構わない。たとえば、櫛歯電極構造の櫛歯部分が「く」の字のような構造であれば、異方性レンズの形状も「く」の字としたものを用いることできる。
【００６１】
また、上述した各種形態の液晶表示装置は表示の上下方向が液晶パネルへの入射光の入射角度範囲の狭い方向であることが好ましい。このような構成とすることで表示の上下方向の視野角は制限されたとしても、表示の左右方向の視野角は従来どおりの特性を示すので、従来の液晶モジュールと比べて違和感のない表示が可能となる。その上、画素内の電極の繰り返し周期方向と液晶パネルへの入射光の入射角度範囲の狭い方向とが一致しているため、従来の液晶モジュールと比べてコントラスト比の向上した広視野角の液晶モジュールを提供することができる。
【００６２】
以上、本発明をその好適な実施形態に基づいて説明したが、本発明の液晶表示装置は、上述した各種の形態にのみ限定されるものでなく、上述した各種の形態を適宜に変更し、または組み合わせた液晶表示装置も、本発明の範囲に含まれる。
【００６３】
なお、本発明の活用例として、テレビやパソコンのモニターなどの端末機器（図１２）に使用される液晶表示装置が挙げられる。
【図面の簡単な説明】
【００６４】
【図１】本発明の第１の実施形態による液晶表示装置を示す平面図である。
【図２】本発明の第１の実施形態による液晶表示装置を示す断面図である。
【図３】第１の実施形態で用いるバックライトの上下左右方向の配光特性を示す図である。
【図４】本発明の液晶表示装置と従来の液晶表示装置の黒輝度の違いを示した図である。
【図５】本発明の液晶表示装置と従来の液晶表示装置のコントラスト比の違いを示した図である。
【図６】本発明の第２の実施形態による液晶表示装置を示す断面図である。
【図７】本発明の液晶表示装置に用いた光吸収異方性部材の構造を示した平面図である。
【図８】本発明の第３の実施形態による液晶表示装置を示す断面図である。
【図９】本発明の第４の実施形態による液晶表示装置を示す断面図である。
【図１０】本発明の液晶表示装置に用いられる電極構造の変形例を示す図である。
【図１１】本発明の液晶表示装置に用いられる電極構造の変形例を示す図である。
【図１２】本発明を適用する端末機器を示す斜視図である。
【符号の説明】
【００６５】
１１    信号線
１２    走査線
１３  共通電極線
１４  ドレイン電極線
１５  画素電極線
１６  共通電極
１７  画素電極
１８  ＴＦＴトランジスタ
１９  第１のコンタクトホール
２０  第２のコンタクトホール
２１  ＴＦＴ基板
２２  対向基板
２３  液晶
２４、３０  ガラス基板
２５  第１の無機絶縁膜
２６  第２の無機絶縁膜
２９  配向膜
３１  保護膜
３２  配向膜
３３  ＢＭ（ブラックマトリクス）
３４  バックライト
３５  光吸収異方性部材
３６  異方性拡散板
３７  異方性レンズシート
５１  光透過領域
５２  光遮光領域
５５  光源の液晶パネルへの入射光の入射角度範囲が狭い方向
【図１】
2006091120.tif 000003
【図２】
2006091120.tif 000004
【図３】
2006091120.tif 000005
【図４】
2006091120.tif 000006
【図５】
2006091120.tif 000007
【図６】
2006091120.tif 000008
【図７】
2006091120.tif 000009
【図８】
2006091120.tif 000010
【図９】
2006091120.tif 000011
【図１０】
2006091120.tif 000012
【図１１】
2006091120.tif 000013
【図１２】
2006091120.tif 000014